(57)【特許請求の範囲】
【請求項１】
ユーザーの携行するＩＤキーに記憶されたＩＤ情報を含む鍵情報に基づいて建物の共用ゲートの通行を制御する出入管理装置と、鍵配信サーバと、通信ネットワークと、を含む出入管理システムであって、
前記共用ゲートは、前記ユーザーの占有又は専用する場所へのゲートを含むものではなく、
前記鍵配信サーバは、
通信部と、
前記ユーザーに許可されている共用ゲートの通行権限情報の範囲を上限とする、前記ユーザーの指定するゲストに対する通行権限データに基づいて、前記ゲストの共用ゲートの通行を許可するためのＩＤ情報を含む鍵情報を生成する鍵情報作成部と、
前記生成されたＩＤ情報を含む鍵情報を前記ゲストの携行する携帯電子機器へ、前記通信部を介して配信する鍵情報配信部と、を備え、
前記出入管理装置は、
前記鍵情報作成部によって生成されたＩＤ情報を含む鍵情報に基づいて、前記ゲストの建物の共用ゲートにおける通過を制御する、
ことを特徴とする出入管理システム。
【請求項２】
前記出入管理システムは、さらに、少なくとも前記鍵配信サーバと通信可能に接続された管理サーバを含み、
前記管理サーバは、
前記ユーザーに許可されている共用ゲートの通行権限情報の範囲を上限とする、前記ユーザーの指定する前記ゲストに対する通行権限データを前記鍵配信サーバに送信する、
ことを特徴とする請求項１に記載の出入管理システム。
【請求項３】
前記出入管理システムは、さらに、少なくとも前記鍵配信サーバと通信可能な電子機器を含み、
前記電子機器は、
前記ユーザーに許可されている共用ゲートの通行権限情報の範囲を上限とする、前記ユーザーの指定する前記ゲストに対する通行権限データを前記鍵配信サーバに送信する、
ことを特徴とする請求項１に記載の出入管理システム。
【発明の詳細な説明】
【技術分野】
【０００１】
本発明は、例えばマンション等の集合住宅における共用エントランス（共用玄関、集合エントランス、施設内の共有スペース）の出入、占有部までの通行、共用施設の利用、及びエレベータの乗降、宅配ボックス等の共用設備の操作、またオフィス、ホテル、病院等の商業施設、公共施設等の大型施設等の各種物件における共用エントランス（出入口、玄関、駐車場等）への出入等を管理する出入管理システムに関するものである。
【背景技術】
【０００２】
マンション等の集合住宅、オフィス、ホテル、病院等の商業施設や公共施設等の各種物件における出入口、玄関等の出入を管理する出入管理システムとしては、例えば下記特許文献１に開示されるものが従来より知られている。
【０００３】
特許文献１に記載の出入管理システム１０１は、出入を管理する共用エントランスとしてのドア１０２と、ドア１０２に取り付けられた電気錠１０３と、ドア１０２を通過しようとする人の個人情報を識別する複数の個人識別装置として作用する複数の磁気カードリーダ１０４および１０５と、これら複数の磁気カードリーダ１０４および１０５に接続され、電気錠１０３を制御するカードコントローラ１０６とを備えて概略構成される。
【先行技術文献】
【特許文献】
【０００４】
【特許文献１】特開２００１ー２４１２２６号公報
【発明の概要】
【発明が解決しようとする課題】
【０００５】
しかしながら、特許文献１に記載の出入管理システム１０１においては、各ゲートの通行可否を示す通行権限情報をＩＤ毎に変更するためには、電気錠が配設される現地での変更作業が必要不可欠であった。また、利用者が所持するＩＤキー内のメモリに通行権限情報を保持する構成では、通行権限情報の変更時にＩＤキー自体の交換やデータの書き換えが必要であった。
また、特許文献１に記載の出入管理システム１０１においては、例えばマンション等の集合住宅の入居人（オーナー）や管理者が、ゲストに対して、例えば、共用会議室に至るまでの共用エントランスの通行を許可するための通行権限情報、共用施設の利用を許可するための利用権限情報等を設定することは、想定されていない。
【０００６】
本発明は上記問題点に鑑みてなされたものであり、例えばマンション等の入居人（オーナー）が、自身に許可されている共用エントランス等の通行権限情報の範囲を上限として、ゲストに対して共用エントランス等の通行を許可するための、また共用施設の利用を許可するための通行権限情報等をオンラインにより設定することができる出入管理システムを提供することを目的とするものである。
【課題を解決するための手段】
【０００７】
本発明は、ユーザーの携行するＩＤキーに記憶されたＩＤ情報を含む鍵情報に基づいて建物の共用ゲートの通行を制御する出入管理装置と、鍵配信サーバと、通信ネットワークと、を含む出入管理システムであって、前記鍵配信サーバは、通信部と、前記ユーザーに許可されている共用ゲートの通行権限情報の範囲を上限とする、前記ユーザーの指定するゲストに対する通行権限データに基づいて、前記ゲストの共用ゲートの通行を許可するためのＩＤ情報を含む鍵情報を生成する鍵情報作成部と、前記生成されたＩＤ情報を含む鍵情報を前記ゲストの携行する携帯電子機器へ、前記通信部を介して配信する鍵情報配信部と、を備え、前記出入管理装置は、前記鍵情報作成部によって生成されたＩＤ情報を含む鍵情報に基づいて、前記ゲストの建物の共用ゲートにおける通過を制御することを特徴とする出入管理システムに関する。
【０００８】
前記出入管理システムは、さらに、少なくとも前記鍵配信サーバと通信可能に接続された管理サーバを含み、前記管理サーバは、前記ユーザーに許可されている共用ゲートの通行権限情報の範囲を上限とする、前記ユーザーの指定する前記ゲストに対する通行権限データを前記鍵配信サーバに送信することができる。
【０００９】
前記出入管理システムは、さらに、少なくとも前記鍵配信サーバと通信可能な電子機器を含み、前記電子機器は、前記ユーザーに許可されている共用ゲートの通行権限情報の範囲を上限とする、前記ユーザーの指定する前記ゲストに対する通行権限データを前記鍵配信サーバに送信することが好ましい。
【発明の効果】
【００１３】
本発明によれば、例えばマンション等の入居人（オーナー）が、自身に許可されている共用エントランス等の通行権限情報の範囲を上限として、ゲストに対して共用エントランス等の通行を許可するための通行権限情報をオンラインにより設定することができる。
【図面の簡単な説明】
【００１４】
【図１】第１実施形態に係る出入管理システムの概略構成を示す概要図である。
【図２】第１実施形態に係る出入管理装置１の機能ブロック図である。
【図３】第１実施形態に係る管理サーバ３の機能ブロック図である。
【図４】第１実施形態に係る鍵配信サーバ４の機能ブロック図である。
【図５】第１実施形態の変形例１の概略構成を示す概要図である。
【発明を実施するための形態】
【００１５】
以下、本発明の出入管理システム１００の好ましい実施形態について、図を参照しながら説明する。
まず、以下の説明において用いる用語について、説明する。
各実施形態において、特に断らない限り、出入管理システム１００は、マンション等の集合住宅における、共用部（共用玄関、集合エントランス、施設内の共有スペース、共用駐車場、共用倉庫等）の出入及びエレベータ、宅配ロッカー等の共用設備の操作等を管理する。
【００１６】
共用部（共用玄関、集合エントランス、施設内の共有スペース、共用ルーム、共用駐車場、共用倉庫等）の出入口、及びエレベータ、宅配ロッカー等の共用設備を「共用ゲート」という。各共用ゲートを識別する情報を「共用ゲートＩＤ」という。
【００１７】
扉に取り付けられた電気錠を電気的に解錠するための鍵情報等を内部の記憶部に記憶した、携帯型リモコンキー、非接触型カードキー、携帯電子機器等を総称して「ＩＤキー」という。ＩＤキーは、ＩＤキーを識別するための識別情報（以下、「ＩＤ情報」という）を記憶する。
ＩＤキーとしては、例えば、ＲＦＩＤタグ（Radio Frequency Identification Tag）を搭載したノンタッチキー、近距離無線通信ＮＦＣ（Near Field Communication）（例えば、国際標準規格の「ISO 14443 Type A」と「同 Type B」、Bluetooth（登録商標）、ＢＬＥ（Bluetooth Low Energy）（登録商標）等）を可能とするＩＣを搭載したＩＤキー、及びＦｅｌｉｃａ（登録商標）等の非接触ＩＣカードをＩＤキーとして使用するＩＣカードキー等がある。
【００１８】
マンション等の集合住宅の入居人（オーナー）や管理者を、「ユーザー」という。また、ユーザーを識別するための情報を「ユーザーＩＤ」という。
ユーザー以外の者であって、特定の共用ゲートの通行又は操作をユーザーによって許可される者を「ゲスト」という。
【００１９】
共用ゲートの通行、利用、又は操作に関する権限情報を「通行権限情報」又は「通行権限データ」という。「通行権限情報」又は「通行権限データ」は、例えば、通行、利用、又は操作の許可される共用ゲートの共用ゲートＩＤ、共用ゲートがエレベータの場合の乗降先、共用ゲートが宅配ロッカーの場合のロッカー番号、許可される有効期限、有効時間帯等を含むことができる。
【００２０】
なお、本発明は、マンション等の集合住宅における、共用ゲートの通行、利用、及び操作等の管理に限定されない。
オフィス、ホテル、病院等の商業施設、公共施設等の大型施設等の各種物件における共用エントランス（出入口、玄関、駐車場等）への出入、及び共用設備の操作等の管理にも適用できる。
【００２１】
［第１実施形態］
以下、本発明の出入管理システム１００の好ましい一実施形態について、図を参照しながら説明する。
【００２２】
出入管理システム１００の構成について、図１を参照しながら説明する。図１に示すように、出入管理システム１００は、出入管理装置１と、管理サーバ２と、鍵配信サーバ３と、ユーザーの携行するスマートフォン等の携帯電子機器４と、通信ネットワーク５と、を含む。
【００２３】
＜出入管理装置１＞
出入管理装置１は、共用ゲートの施解錠等を制御する。より具体的には、出入管理装置１は、各共用ゲートに設置される、例えば電気錠操作盤、自動扉制御器、宅配ロッカー制御器、エレベーター制御器（以下、「共用ゲート制御機器」ともいう）に対して、現在の共用ゲートの状態に応じた駆動制御信号を出力することで、ドア（扉）の施解錠、又はエレベータの乗降先の指定、宅配ロッカーの開閉を制御する。
【００２４】
出入管理装置１は、ユーザーの携行するＩＤキーに対して許可される共用ゲートの通行権限情報を、後述するＩＤキーデータベース１１１に予め登録して使用する。
【００２５】
後述するように、ユーザーの携行する携帯電子機器（例えばスマートフォン等）に、出入管理装置１に登録されているＩＤ情報又はＩＤ情報を含む鍵情報を記憶することで、共用ゲートを通過（操作）するためのＩＤキーとして利用することができる。
ここで、ＩＤ情報を含む鍵情報とは、当該ＩＤ情報に対して許可される通行権限情報（通行権限データ）を指す。
【００２６】
図２に示すように、出入管理装置１は、制御部１０と、記憶部１１と、通信部１２と、リーダー１３と、周辺装置インタフェース部１４と、を含むことができる。また、例えば管理会社の職員が、出入管理装置１の記憶部１１の後述するログファイル１１２に保存された、共用ゲートに設置される共用ゲート制御機器の操作に関するログ情報を回収する場合、ログ情報を出入管理装置１から取得できるように、ＵＳＢメモリを接続するためのＵＳＢ端子を備えることもできる。ここで、ログ情報は、出入管理装置１の各共用ゲート制御機器が操作された際の操作履歴情報（例えば、操作された時間（日時分秒等）、操作したユーザに係る情報（例えば、ＩＤ情報、ユーザＩＤ、ユーザー部屋番号等）、操作された共用ゲート制御機器に係る情報（例えば、共用ゲートＩＤ、操作内容等）を含む。
【００２７】
通信部１２は、例えばスイッチングハブ、ＬＡＮケーブル、広域通信網等のネットワークを介して、他の出入管理装置１、管理サーバ２、鍵配信サーバ３等とのデータの送受信等を行うことができる。
【００２８】
リーダー１３は、共用ゲートに設置され、ユーザーの携行するＩＤキーの記憶部に記憶されたＩＤ情報又はＩＤ情報を含む鍵情報を受信して制御部１０に渡す。
【００２９】
周辺装置インタフェース部１４は、出入管理装置１の各共用ゲート制御機器（例えば、電気錠操作盤、自動扉制御器、宅配ロッカー制御器、エレベーター制御器等）との入出力インタフェースを制御する。
【００３０】
制御部１０は、例えばＣＰＵやＲＯＭ，ＲＡＭ等を有するマイクロコンピュータ等から構成され、出入管理装置１を構成する各構成部の制御を行う。ＣＰＵは、ＲＯＭ又は記憶部１１から読み出した各プログラムを実行することによって、出入管理装置１を、後述する所定の手段として機能させる。
また、制御部１０は各プログラムを実行することによって、出入管理装置１に、所定の手順を実行させる。
制御部１０の詳細については、後述する。
【００３１】
＜記憶部１１＞
記憶部１１は、例えば磁気的、光学的記憶媒体若しくはＲＯＭ、ＲＡＭ等の半導体メモリで構成される。記憶部１１は、当該出入管理装置１の制御する共用ゲート制御機器の機器情報に関する各種データを機器情報エリア１１３に記憶している。また、モニタ情報としての共用ゲート制御機器の状態信号（例えば、扉の開閉状態信号や電気錠の施解錠状態信号）等の制御に関する各種データを機器情報エリア１１３に記憶している。また、前述したログ情報をログファイル１１２に記憶する。
また、出入管理装置１の制御を行うためのプログラム、さらに、後述するＩＤキーデータベース１１１等、種々の情報が記憶される。
【００３２】
ＩＤキーデータベース１１１は、出入管理装置１の制御対象とする、共用ゲートに設置される共用ゲート制御機器の操作を許可するか否かを判定するために、ＩＤキーのＩＤ情報等を登録管理する。
ＩＤキーデータベース１１１には、出入管理装置１の制御対象とする、ＩＤキーのＩＤ情報が登録されるとともに、当該ＩＤ情報により許可される通行権限情報等が対応付けて登録されている。後述する判定部１０２は、ＩＤキーデータベース１１１に基づいて当該ＩＤキーを携行する者に対して共用ゲートの通行又は操作を許可するか否かを判定することができる。
【００３３】
＜制御部１０＞
次に、制御部１０の有する機能を当該機能を実行する手段（部）の観点から説明する。なお、当該機能の手順（方法）の観点に基づく説明は、「部」を「手順」に置き換えることで説明できるため、省略する。
制御部１０は、設定登録部１０１と、判定部１０２と、出入管理制御部１０３と、ログ作成部１０４と、を含む。
【００３４】
［設定登録部１０１］
設定登録部１０１は、ＩＤキーのＩＤ情報と、当該ＩＤ情報と通行権限情報とを対応付けて、ＩＤキーデータベース１１１に登録する。
なお、集合住宅用の出入管理装置１においては、当該ＩＤキーを利用するユーザーの部屋番号単位に、ＩＤ情報を管理することができる。
また、当該ＩＤキーを所有するユーザーのユーザーＩＤをＩＤ情報に対応付けて登録することができる。また、当該ユーザーの電子メールＩＤをＩＤ情報に対応付けて登録することができる。
【００３５】
［判定部１０２］
判定部１０２は、共用ゲートに設置されたリーダー１５により読み取られたＩＤキーのＩＤ情報を入力インタフェース部１３を介して受信し、受信したＩＤ情報が、ＩＤキーデーベース１１１に登録されているか否かを判定する。受信したＩＤ情報が登録され、かつ、当該共用ゲートＩＤが当該ＩＤ情報に対応する通行権限情報に登録されているときに限り、当該ＩＤキーを正当なものと判定する。なお、受信したＩＤ情報が登録されていないときは、エラーとする。また、当該ＩＤキーが、有効期限、有効時間帯等を有する場合は、現在日時情報が有効期限、有効時間帯の範囲内にあるときに限り、正当なものと判定することができる
【００３６】
［出入管理制御部１０３］
判定部１０２によりＩＤ情報が正当であると判定された場合に、出入管理制御部１０３は、現在の電気錠や自動扉の状態に応じた駆動制御信号を当該ＩＤ情報により許可される共用ゲートＩＤに対応する、共用ゲート制御機器に出力する。
例えば、出入管理制御部１０３は、共用エントランスの解錠等を許可するための信号を、当該出入管理装置１の共用ゲート制御機器（例えば、電気錠操作盤、自動扉制御器等）に出力する。
同様に、出入管理制御部１０３は、宅配ロッカー、エレベーター等の操作を許可するための信号を、当該出入管理装置１の共用ゲート制御機器である宅配ロッカー制御器８、エレベーター制御器等に出力する。
そうすることで、ＩＤキーを携行するユーザーは、共用ゲートにおける電気錠１８１、自動ドア等を解錠することで、当該共用ゲートを通過することが可能となる。同様に、ＩＤキーを携行するユーザーは、宅配ロッカー、エレベーター等の操作が可能となる。
【００３７】
［ログ作成部１０４］
ログ作成部１０４は、ログ情報を記憶部１１のログファイル１１２に編集して、記録する。
【００３８】
なお、出入管理装置１を複数設けて、出入管理を分散して処理するように構成することができる。その場合、例えば、全ての出入管理装置を一元的に管理するための、例えば管理ＰＣ（図示せず）を設けることができる。
この場合、出入管理装置１の制御部１０の備える設定登録部１０１は、管理ＰＣの制御部により管理され、例えば、管理ＰＣの制御部からの命令により、ＩＤキーデータベース１１１への入出力を行うように構成することができる。
【００３９】
＜管理サーバ２＞
管理サーバ２は、ユーザーがアクセスすることができる管理用ポータルサーバである。
図３に示すように、管理サーバ２は、制御部２０と、記憶部２１と、通信部２２と、を含むことができる。
【００４０】
通信部２２は、例えばスイッチングハブ、ＬＡＮケーブル、広域通信網、無線通信網等のネットワークを介して、出入管理装置１、鍵配信サーバ３、携帯電子機器４等とのデータの送受信等を行うことができる。
通信部２２は、無線通信部２２１（図示せず）を含むことができる。特に、携帯電子機器４とは、無線通信部２２１を介して、データ交換を行うことができる。
【００４１】
制御部２０は、例えばＣＰＵやＲＯＭ，ＲＡＭ等を有するプロセッサにより構成され、管理サーバ２を構成する各構成部の制御を行う。ＣＰＵは、ＲＯＭ又は記憶部２１から読み出した各プログラムを実行することによって、管理サーバ２を、後述する所定の手段として機能させる。
また、制御部２０は各プログラムを実行することによって、管理サーバ２に、所定の手順を実行させる。
制御部２０の詳細については、後述する。
【００４２】
記憶部２１は、例えば、半導体メモリやハードディスクドライブ等で構成されており、オペレーティングシステム（ＯＳ）やアプリケーションと呼ばれるソフトウェアが保存される等、種々の情報が記憶される。記憶部２１には、ユーザー情報エリア２１１が確保されている。
【００４３】
記憶部２１のユーザー情報エリア２１１にはユーザー毎にユーザＩＤが設定され、ユーザーＩＤ毎に、住居情報、ユーザー情報（例えば、家族構成等）等を管理するユーザー情報データベース２１１１が記憶される。
【００４４】
＜制御部２０＞
次に、制御部２０の有する機能を当該機能を実行する手段（部）の観点から説明する。なお、当該機能の手順（方法）の観点に基づく説明は、「部」を「手順」に置き換えることで説明できるため、省略する。
制御部２０は、接続処理部２０１と、通行権限情報設定部２０２と、出入管理装置インタフェース部２０３と、鍵配信サーバインタフェース部２０４と、を含む。
【００４５】
［接続処理部２０１］
接続処理部２０１は、ユーザーの携行する携帯電子機器等からのログイン処理を実行して、ユーザーにより入力されるユーザーＩＤ、パスワード等に基づいて、ユーザー情報データベース２１１１等を参照することで、ユーザーが正当な者であることを認証する。
なお、ログイン処理は、ユーザーの携行する携帯電子機器からのログイン要求に限定されない。例えば、ユーザーの使用する、例えば、携帯電話、タブレット端末、ＰＤＡ、ノートパソコン、パソコン等の電子機器であってもよい。
接続処理部２０１は、ユーザーが正当な者であることを認証すると、ユーザーに対して、ユーザーが利用可能なサービスを例えばメニューにより提供するように構成することができる。
【００４６】
ここで、ユーザーが利用可能なサービスとして、ユーザーが、自身の任意のゲストに対して、共用ゲートの通過及び操作等を許可するための通行権限データを、管理サーバに対して発行依頼するためのサービスを含む。
より具体的には、ユーザーは、管理サーバに対して当該ユーザーの許可されている共用ゲートの通過及び操作等を上限として、当該ユーザーの指定したゲストに対して通行権限データを発行依頼することができる（以下、「通行権限発行依頼」ともいう）。
【００４７】
［通行権限情報設定部２０２］
以下に説明する通行権限情報設定部２０２の処理においても、ユーザーの使用する電子機器は、「携帯電子機器４」に限定されない。ユーザーのログイン処理と同様に、例えば、ユーザーの使用する、例えば、携帯電話、タブレット端末、ＰＤＡ、ノートパソコン、パソコン等の電子機器であってもよい。
【００４８】
［通行権限データの選択］
通行権限情報設定部２０２は、ユーザーからユーザーの指定するゲストへの通行権限発行依頼の入力を受けて、ユーザーの指定するゲストに対して、当該ユーザーの許可されている共用ゲートの通過及び操作等を上限とする、通行権限データを選択する。
より具体的には、通行権限情報設定部２０２は、例えば次の処理を行うように構成される。
通行権限情報設定部２０２は、ユーザーからユーザーの指定するゲストへの通行権限発行依頼の入力を受けると、当該ユーザーに許可されている通行権限情報を、後述する出入管理装置インタフェース部２０３を介して、出入管理装置１に対して、取得依頼を行う。
そうすることで、出入管理装置１は、ＩＤキーデーベース１１１に登録された当該ユーザーに許可されている共用ゲートの通行権限情報を抽出する。
【００４９】
通行権限情報設定部２０２は、出入管理装置１が当該ユーザーＩＤ等に基づいて、ＩＤキーデータベースから抽出した当該ユーザーに許可されている通行権限情報を出入管理装置インタフェース部２０３を介して受信することができる。
【００５０】
通行権限情報設定部２０２は、出入管理装置インタフェース部２０３を介して受信した当該ユーザーに許可されている通行権限情報を、例えばユーザーの携帯電子機器等に通知する。
そうすることで、ユーザーは、携帯電子機器等により、当該ゲストに対して、当該ユーザーの許可されている通行権限情報を上限とする通行権限データを選択することができる。
【００５１】
通行権限情報設定部２０２は、ユーザーの携行する携帯電子機器等から、ユーザーの指定するゲストＩＤ（例えば、ゲストの電子メールＩＤ）と、ユーザーにより選択された、当該ユーザーに許可されている通行権限情報を上限とする、当該ゲストに対する通行権限データを受信する。
【００５２】
［鍵情報の生成依頼］
通行権限情報設定部２０２は、鍵配信サーバインタフェース部２０４を介して、鍵配信サーバ３に対して、配信依頼者である当該ユーザーの識別情報（例えば、ユーザーＩＤ、電子メールアドレス等）、ユーザーの指定したゲストの識別情報（例えば、ゲストのユーザーＩＤ、電子メールアドレス等）、ユーザーにより選択された通行権限データ等に基づいて、配信依頼者であるユーザーに紐づけて、当該ユーザーに許可されている共用ゲートの通行及び操作等を上限とする、当該ゲストの共用ゲートの通行及び操作を許可するためのＩＤ情報を含む鍵情報の生成を依頼する。
そうすることで、後述する鍵配信サーバ３の鍵情報作成部３０２は、配信依頼者であるユーザーに紐づけて、当該ユーザーに許可されている共用ゲートの通行及び操作等を上限とする、当該ゲストの共用ゲートの通行及び操作を許可するためのＩＤ情報を含む鍵情報を生成する。
【００５３】
通行権限情報設定部２０２は、鍵配信サーバ３により生成された、当該ユーザーに許可されている共用ゲートの通行及び操作等を上限とする、当該ゲストの共用ゲートの通行及び操作を許可するためのＩＤ情報を含む鍵情報を鍵配信サーバインタフェース部２０４を介して受信する。
なお、当該ゲストのＩＤ情報としては、配信依頼者であるユーザーの携行するＩＤキーのＩＤ情報に、例えば、枝番号を付与するものとしてもよい。そうすることで、当該ゲストのＩＤ情報が配信依頼者であるユーザーの所有するＩＤ情報に紐づけることができる。
また、当該鍵情報に配信依頼者であるユーザーの識別情報を含むように構成することで、配信依頼者であるユーザーに紐づけてもよい。
【００５４】
［ＩＤキーデータベース１１１への設定登録依頼］
通行権限情報設定部２０２は、出入管理装置インタフェース部２０３を介して、出入管理装置１に対して、鍵配信サーバインタフェース部２０４を介して受信した、当該ゲストの共用ゲートの通行及び操作を許可するためのＩＤ情報を含む鍵情報に基づいて、ＩＤキーデータベース１１１への設定登録を依頼する。
そうすることで、出入管理装置１は、鍵配信サーバ３により生成された、当該ゲストの共用ゲートの通行及び操作を許可するためのＩＤ情報を含む鍵情報をＩＤキーデータベース１１１に設定登録することができる。
【００５５】
［鍵配信サーバへの配信依頼］
その後、通行権限情報設定部２０２は、鍵配信サーバインタフェース部２０４を介して、鍵配信サーバ３に対して、当該ゲストの共用ゲートの通行及び操作を許可するためのＩＤ情報又はＩＤ情報を含む鍵情報の当該ゲストの携行する携帯電子機器への配信依頼を行う。
そうすることで、ＩＤ情報又はＩＤ情報を含む鍵情報を配信された当該ゲストは、予め当該ゲストの携行する携帯電子機器４を、配信依頼者であるユーザーの通行権限情報を上限とする当該ゲストの共用ゲートの通行及び操作を許可するためのＩＤ情報を含むＩＤキーとして利用可能とすることができる。
【００５６】
［出入管理装置インタフェース部２０３］
出入管理装置インタフェース部２０３は、管理サーバ２から出入管理装置１に処理依頼、通知等を送信する際の、又は出入管理装置１から処理依頼、通知等を受信する際のインタフェースを制御する。
【００５７】
［鍵配信サーバインタフェース部２０４］
鍵配信サーバインタフェース部２０４は、管理サーバ２から鍵配信サーバ３に処理依頼、通知等を送信する際の、又は鍵配信サーバ３から処理依頼、通知等を受信する際のインタフェースを制御する。
【００５８】
＜鍵配信サーバ３＞
図４に示すように、鍵配信サーバ３は、制御部３０と、記憶部３１と、通信部３２と、を含むことができる。
【００５９】
通信部３２は、例えばスイッチングハブ、ＬＡＮケーブル、広域通信網、無線通信網等のネットワークを介して、管理サーバ２、携帯電子機器４とのデータの送受信等を行うことができる。
通信部３２は、無線通信部３２１（図示せず）を含むことができる。特に、携帯電子機器４とは、無線通信部３２１を介して、データ交換を行うことができる。
【００６０】
制御部３０は、例えばＣＰＵやＲＯＭ，ＲＡＭ等を有するプロセッサにより構成され、管理サーバ２を構成する各構成部の制御を行う。ＣＰＵは、ＲＯＭ又は記憶部１１から読み出した各プログラムを実行することによって、鍵配信サーバ３を、後述する所定の手段として機能させる。
また、制御部３０は各プログラムを実行することによって、鍵配信サーバ３に、所定の手順を実行させる。
制御部３０の詳細については、後述する。
【００６１】
記憶部３１は、例えば、半導体メモリやハードディスクドライブ等で構成されており、オペレーティングシステム（ＯＳ）やアプリケーションと呼ばれるソフトウェアが保存される等、種々の情報が記憶される。記憶部２１には、鍵情報管理エリア３１１と、デバイス情報管理エリア３１２と、を備える。
【００６２】
記憶部３１の鍵情報管理エリア３１１には、ユーザＩＤ毎に当該ユーザーの携行するＩＤキーのＩＤ情報を含む鍵情報を管理する鍵情報データベース２１１１を含む。
同様に、鍵情報データベース２１１１には、鍵配信サーバ３により、配信依頼者であるユーザーに紐づけて生成された、当該ユーザーに許可されている共用ゲートの通行及び操作等を上限とする、当該ゲストの共用ゲートの通行及び操作を許可するためのＩＤ情報を含む鍵情報が記憶される。
【００６３】
記憶部３１のデバイス情報管理エリア３１２には、ユーザーの携行する携帯電子機器及びゲストの携行する携帯電子機器に対して鍵情報をプッシュ方式で送信するために用いるデバイス情報が記憶される。
【００６４】
＜制御部３０＞
次に、制御部３０の有する機能を当該機能を実行する手段（部）の観点から説明する。なお、当該機能の手順（方法）の観点に基づく説明は、「部」を「手順」に置き換えることで説明できるため、省略する。
制御部３０は、接続処理部３０１と、鍵情報作成部３０２と、鍵情報配信部３０３と、管理サーバインタフェース部３０４と、課金処理部３０５と、を含む。
【００６５】
［接続処理部３０１］
接続処理部２０１は、ユーザー又はゲストからの要求を受信して、後述するＩＤキーアプリをユーザー又はゲストの携帯電子機器４にインストールする。
なお、ゲストは、ＩＤキーアプリを作動させることで、後述するように、自身の携行する携帯電子機器４の記憶部にＩＤ情報又はＩＤ情報を含む鍵情報を記憶させるとともに、当該携帯電子機器４をＩＤキーとして利用可能な状態に作用させることができる。
【００６６】
［鍵情報作成部３０２］
前述したように、鍵配信サーバ３は、管理サーバ２から管理サーバインタフェース部３０４を介して、受信した、配信依頼者である当該ユーザーの識別情報、ユーザーの指定したゲストの識別情報、ユーザーにより選択された通行権限データ等に基づいて、配信依頼者であるユーザーに紐づけて、当該ユーザーに許可されている共用ゲートの通行及び操作等を上限とする、当該ゲストの共用ゲートの通行及び操作を許可するためのＩＤ情報を含む鍵情報を生成する。
鍵情報作成部３０２は、当該ゲストの共用ゲートの通行及び操作を許可するためのＩＤ情報を含む鍵情報を記憶部３１の鍵情報管理エリア３１１に記憶する。
【００６７】
［鍵情報配信部３０３］
鍵情報配信部３０３は、鍵情報作成部３０２により、配信依頼者であるユーザーに紐づけて生成された、当該ゲストの共用ゲートの通行及び操作を許可するためのＩＤ情報又はＩＤ情報を含む鍵情報を当該ゲストの携行する携帯電子機器へ配信する。
この配信は、ＩＤキーアプリに対するプッシュ方式で行うことができる。
より、具体的には、鍵情報配信部３０３は、当該ゲストの携行する携帯電子機器及びＩＤキーアプリを指定して、鍵情報をプッシュ方式で配信することにより、当該携帯電子機器のＩＤキーアプリが起動されて、当該携帯電子機器４の記憶部にＩＤ情報又はＩＤ情報を含む鍵情報が記憶され、当該携帯電子機器４をＩＤキーとして利用可能な状態に作用される。
【００６８】
［鍵情報の更新等］
鍵情報配信部３０３は、当該ゲストの共用ゲートの通行及び操作を許可するためのＩＤ情報又はＩＤ情報を含む鍵情報を当該ゲストの携行する携帯電子機器にプッシュ方式で配信した後、当該鍵情報の更新に関する配信データをプッシュ方式で通知することができる。
より、具体的には、鍵情報配信部３０３は、当該ゲストの携行する携帯電子機器及びＩＤキーアプリを指定して、鍵情報の更新に関する配信データをプッシュ方式で配信することにより、当該携帯電子機器のＩＤキーアプリが起動されて、当該携帯電子機器４の記憶部に記憶されているＩＤ情報又はＩＤ情報を含む鍵情報が更新される。
【００６９】
例えば、鍵情報配信部３０３は、当該鍵情報が例えば有効期限前であっても、当該鍵情報を無効化するための配信データを当該ゲストの携行する携帯電子機器にプッシュ方式で通知することにより、当該鍵情報を無効化することができる。
逆に、鍵情報配信部３０３は、当該鍵情報の有効期限を過ぎる前に、当該鍵情報の有効期限を延長するための配信データを当該ゲストの携行する携帯電子機器にプッシュ方式で通知することにより、当該鍵情報の有効期限を更新することができる。
【００７０】
［管理サーバインタフェース部３０４］
管理サーバインタフェース部３０４は、鍵配信サーバ３から管理サーバ２に処理依頼、通知等を送信する際の、又は管理サーバ２から処理依頼、通知等を受信する際のインタフェースを制御する。
【００７１】
［課金処理部３０５］
課金処理部３０５は、鍵情報配信部３０３が、当該ゲストの共用ゲートの通行及び操作を許可するためのＩＤ情報又はＩＤ情報を含む鍵情報を当該ゲストの携行する携帯電子機器へ配信する際に、配信依頼者であるユーザーの識別情報、配信先であるゲストの識別情報、及び当該鍵情報配信日時に関する情報等に基づいて、課金処理のために、課金ファイル（仮称）を作成することができる。
そうすることで、課金処理部３０５は、課金ファイル（仮称）に基づいて、ユーザー又はゲストに対して、課金処理（例えば、請求書作成、クレジット等の電子決済等）を行うことが可能となる。
なお、課金処理部３０５は、鍵情報作成部３０２が当該鍵情報を生成したときに課金ファイル（仮称）を作成するように構成してもよい。
【００７２】
［携帯電子機器４］
ユーザー又はゲストの携行する携帯電子機器４は、鍵配信サーバ３から例えばＩＤキーアプリに対するプッシュ通知に基づき、鍵情報の登録又は鍵情報の更新に係る配信データの受信を行うように構成される。
【００７３】
［プッシュ通知機能］
ユーザー又はゲストの携行する携帯電子機器をＩＤキーとするためには、予めＩＤキーアプリを鍵配信サーバ３からダウンロードしてインストールし、ユーザー又はゲストは、プッシュ通知を可能とするために、ＩＤキーアプリにプッシュ機能を設定するとともに、デバイス情報を鍵配信サーバ３に登録する。
そうすることで、ゲストの携行する携帯電子機器４は、鍵配信サーバ３から、ＩＤ情報又はＩＤ情報を含む鍵情報等の鍵配信データのプッシュ通知による受信を行い、携帯電子機器を、当該ゲストが共用ゲートの通行及び操作を許可するためのＩＤ情報を含むＩＤキーとして利用可能とすることができる。
【００７４】
次に、図１を用いて、上記構成による出入管理システム１の動作について簡単に説明する。
（１）まず、ユーザーは、例えばユーザーの携行する携帯電子機器等を介して、管理サーバ２に対して、自身に許可されている共用ゲートの通行及び操作等を上限とする、ゲストの共用ゲートの通行及び操作を許可するための当該ゲストの通行権限発行依頼をする。
これを受けて、管理サーバ２（通行権限情報設定部２０２）は、出入管理装置１に対して、当該ユーザーに許可されている共用ゲートの通行権限情報の抽出依頼を行う。
そうすることで、出入管理装置１は、ＩＤキーデーベース１１１に登録された当該ユーザーに許可されている共用ゲートの通行権限情報を抽出し、管理サーバ２（通行権限情報設定部２０２）に応答する。
管理サーバ２（通行権限情報設定部２０２）は、当該ユーザーに許可されている通行権限情報を、例えばユーザーの携帯電子機器等に通知する。
そうすることで、ユーザーは、携帯電子機器等により、当該ゲストに対して、当該ユーザーの許可されている通行権限情報を上限とする通行権限データを選択し、管理サーバ２（通行権限情報設定部２０２）に応答する。
【００７５】
（２）これを受けて管理サーバーは、当該ユーザーに許可されている共用ゲートの通行及び操作等を上限とする、ゲストの共用ゲートの通行権限データを設定する。
【００７６】
（３）次に、管理サーバ２は、鍵配信サーバ３に対して、ゲストの共用ゲートの通行権限データに基づいて当該ゲストのＩＤ情報を含む鍵情報の生成を依頼する。
これを受けて、鍵配信サーバ３（鍵情報作成部３０２）は、配信依頼者であるユーザーに紐づけて、当該ゲストの共用ゲートの通行及び操作を許可するためのＩＤ情報を含む鍵情報を生成し、管理サーバ２（通行権限情報設定部２０２）に応答する。
【００７７】
（４）こうすることで、管理サーバ２は、当該ゲストのＩＤ情報を含む鍵情報を鍵配信サーバ３から取得する。
【００７８】
（５）次に管理サーバ２は、出入管理装置１に対して、当該ゲストのＩＤ情報を含む鍵情報の設定登録を依頼する。そうすることで、当該ゲストのＩＤ情報を含む鍵情報が出入管理装置１に登録される。
【００７９】
（６）次に管理サーバ２は、鍵配信サーバ３に当該ゲストのＩＤ情報又はＩＤ情報を含む鍵情報の当該ゲストの携帯電子機器４へのプッシュ配信を依頼する。
【００８０】
（７）そうすることで、鍵配信サーバ３は、当該ゲストの携帯電子機器４に対して、当該ゲストのＩＤ情報又はＩＤ情報を含む鍵情報の登録に係る配信データのプッシュ配信を行う。そうすることで、ゲストの携行する携帯電子機器４は、当該鍵情報の登録に係る配信データのプッシュ通知により、当該ゲストが共用ゲートの通行及び操作を許可するためのＩＤ情報を含むＩＤキーとして利用可能となる。
【００８１】
その後、ゲストは、通行対象の共用ゲートに配置されるリーダー１３の通信可能領域内で携帯電子機器４を操作してＩＤキーアプリを起動することで、当該ゲストのＩＤ情報を含む鍵情報に基づいて、通行権限範囲とされる共用ゲートの通過又は操作が可能となる。
なお、出入管理装置１から通信可能領域内の携帯電子機器４に対して起動命令が送信されると、この起動命令によって携帯電子機器４のアプリケーションが自動的に起動するように構成してもよい。この場合、携帯電子機器４の操作が不要となる。
【００８２】
以上、説明したように、出入管理システム１００は、ユーザーに許可されている共用ゲートの通行権限情報の範囲を上限として、ユーザーに紐づけて、ゲストの共用ゲートの通行を許可するためのＩＤ情報を含む鍵情報を生成する鍵情報生成部３０２と、ゲストの携行する携帯電子機器４へ、無線通信部を介して当該ゲストのＩＤ情報又はＩＤ情報を含む鍵情報をプッシュ配信する鍵情報配信部３０３と、を備える。
そうすることで、ユーザーは、自身に許可されている共用ゲートの通行権限情報の範囲を上限として、ゲストに対して共用ゲートの通行を許可するための通行権限情報をオンラインにより設定することができる。
【００８３】
出入管理システム１００は、さらに、ユーザーに許可されている共用ゲートの通行権限情報の範囲を出入管理装置１から取得し、取得した当該ユーザーの通行権限情報に基づいて、ゲストに対する通行権限データを選択する通行権限情報設定部２０２を備える。
そうすることで、ユーザーは、自身に許可されている共用ゲートの通行権限情報の範囲を上限として、ゲストに対して共用ゲートの通行を許可するための通行権限データを容易に選択することができる。
【００８４】
出入管理装置１は、ユーザーの携行するＩＤキーに記憶されたＩＤ情報を含む鍵情報が予め登録されているＩＤキーデータベース１１１と、ユーザーに紐づけて、ゲストの共用ゲートの通行を許可するためのＩＤ情報を含む鍵情報をＩＤキーデータベース１１１に設定登録する設定登録部１０１と、を備える。
そうすることで、ユーザーにより設定されたゲストのＩＤ情報を含む鍵情報を出入管理装置１のＩＤキーデータベース１１１に登録することができる。
【００８５】
＜第１実施形態の変形例について＞
以上、第１実施形態の出入管理システム１００について説明した。しかしながら、本願発明は、第１実施形態に限定されない。
【００８６】
［第１変形例］
第１実施形態においては、管理サーバ２が、ユーザーのエージェントとして、ゲストの通行権限データの選択、鍵配信サーバ３に対する当該ゲストのＩＤ情報を含む鍵情報の生成依頼、出入管理装置１に対する当該ゲストのＩＤ情報を含む鍵情報の設定登録の依頼、及び鍵配信サーバ３に対する当該ゲストのＩＤ情報の当該ゲストの携帯電子機器４へのプッシュ配信の依頼を実行したが、別の実施形態として、管理サーバ４を介さずに、ユーザーの携帯電子機器４から鍵配信サーバ３及び出入管理装置１に対して、処理依頼を直接行うように構成することができる。
この場合、鍵配信サーバ３の接続処理部３０１は、ユーザーの携帯電子機器４と接続して、ユーザーからの処理依頼を受信するように構成される。
また、鍵配信サーバ３は、出入管理装置１の設定登録部１０１に対して、ゲストの共用ゲートの通行及び操作を許可するためのＩＤ情報を含む鍵情報の設定登録依頼を行う鍵情報設定登録依頼部（仮称）及び出入管理装置インタフェース部とを備える（図示せず）。
【００８７】
図５を参照して、説明する。
（１）に示すように、ユーザーの携帯電子機器４は、ユーザーの入力により、当該ユーザーに許可されている共用ゲートの通行及び操作等を上限とする、ゲストの通行権限データを予め設定するように構成することができる。
【００８８】
より具体的には、携帯電子機器４は、記憶部に記憶された、ユーザー自身の許可されている共通ゲートに関する通行権限情報（鍵情報）に基づいて、当該通行権限情報を携帯電子機器４の表示部に選択リストとして表示することができる。
そうすることで、ユーザーは、携帯電子機器４により、当該ゲストに対して、当該ユーザーの許可されている通行権限情報を上限とする通行権限データを選択することができる。
次に、（２）に示すように、当該ユーザーの携帯電子機器４は、ユーザーからの指示により、直接、鍵配信サーバ３に対してゲストの共用ゲートにおける通行権限データをアップロードする。その際、携帯電子機器４は、鍵配信サーバ３（接続処理部３０１）に対して、ゲストの通行権限データに基づいて、配信依頼者であるユーザーに紐づけて、当該ゲストの共用ゲートの通行及び操作を許可するためのＩＤ情報を含む鍵情報の生成を依頼するようにすることができる。
【００８９】
その後、（３）に示すように鍵配信サーバ３（鍵情報作成部３０２）は、ユーザーの識別情報、ゲストの識別情報、当該ゲストの通行権限データ等に基づいて、当該ゲストの共用ゲートの通行及び操作を許可するためのＩＤ情報を含む鍵情報を生成する。
【００９０】
そして、（４）に示すように、鍵配信サーバ３（鍵情報設定登録依頼部（仮称））は、出入管理装置１に対して、当該ゲストの共用ゲートの通行及び操作を許可するためのＩＤ情報を含む鍵情報の設定登録依頼を行う。
出入管理装置１の設定登録部１０１は、配信依頼者であるユーザーに紐づけて、ＩＤキーのＩＤ情報と、当該ＩＤ情報と通行権限情報とを対応付けて、ＩＤキーデータベース１１１に登録する。
【００９１】
また、（５）に示すように、鍵配信サーバ３（鍵情報配信部３０３）は、配信依頼者であるユーザーに紐づけて生成された、当該ゲストの共用ゲートの通行及び操作を許可するためのＩＤ情報又はＩＤ情報を含む鍵情報を当該ゲストの携行する携帯電子機器へ配信する。
【００９２】
［第１変形例の効果］
このように、出入管理システム１００の第１変形例において、ユーザーの携行する携帯電子機器４は、管理サーバ２を介することなく、予め自身に許可されている共用ゲートの通行権限情報の範囲を上限とする、ゲストに対する通行権限データを選択し、鍵配信サーバ３にアップロードすることができる。
そうすることで、ユーザーは、自身に許可されている共用ゲートの通行権限情報の範囲を上限として、ゲストに対して共用ゲートの通行を許可するための通行権限データを予めオフラインで容易に設定することができる。
なお、第１変形例において、鍵配信サーバ３（鍵情報配信部３０３）から、直接、出入管理装置１に対して、ゲストの共用ゲートの通行及び操作を許可するためのＩＤ情報を含む鍵情報の設定登録依頼を行ったが、出入管理装置１に対する処理依頼（設定登録処理を含む）については、管理サーバ２を介するように構成してもよい。
【００９３】
［第２変形例］
第１実施形態及び第１変形例において、出入管理装置１は、鍵配信サーバ３により生成された、ゲストの共用ゲートの通行及び操作を許可するためのＩＤ情報を含む鍵情報をＩＤキーデータベース１１１に設定登録したが、第１実施形態及び第１変形例のそれぞれの変形例として、ゲストの共用ゲートの通行及び操作を許可するためのＩＤ情報を含む鍵情報の、ＩＤキーデータベース１１１への設定登録を省略可能となるように構成することができる。
より、具体的には次のように構成することができる。
【００９４】
まず、ゲストの携行する携帯電子機器４は、鍵配信サーバ３から配信されたユーザーに紐づけられたゲストのＩＤ情報を含む鍵情報を当該携帯電子機器４のメモリに記憶する。
そうすることで、出入管理装置１は、ゲストが共用ゲートを通過する際に、共用ゲートに設置しているリーダー１３を介して、ゲストの携行する携帯電子機器４から、ＩＤ情報を含む鍵情報（通行権限情報）を受信することができる。
【００９５】
出入管理装置１（判定部１０２）は、受信したゲストのＩＤ情報を含む鍵情報が所定のユーザーに紐づけられていること、及びＩＤ情報を含む鍵情報の中に、当該共用ゲートの通過権限を含むか否かを判定する。
より、具体的には、出入管理装置１（判定部１０２）は、ゲストの携行する携帯電子機器４のＩＤ情報を含む鍵情報をリーダーにより受信した際に、当該ＩＤ情報が、配信依頼者であるユーザーに紐づけられていること、及びＩＤ情報を含む鍵情報の中に、リーダーに対応する共用ゲートの通過権限を含むことを判定するように構成する。
【００９６】
［第２変形例の効果］
出入管理装置１は、ゲストの共用ゲートの通行を許可するためのＩＤ情報が、前記ユーザーに紐づけられていることに基づいて、ＩＤ情報を正当なものとして認証することができる。
そうすることで、ユーザーにより設定されたゲストのＩＤ情報を含む鍵情報を出入管理装置１のＩＤキーデータベース１１１に登録することを省略できる。
【００９７】
［第３変形例］
第１実施形態、第１変形例、及び第２変形例では、ユーザーに許可されている共用ゲートの通行権限情報に基づいて、前記通行権限情報の範囲を上限とする、前記ゲストに対する通行権限データを設定したが、別の実施形態として、予め、管理者は、ユーザー毎に当該ユーザーのゲストに許可しない共用ゲートを予め設定しておくことができる。
【００９８】
例えば、出入管理装置１、管理サーバ２又は鍵配信サーバ３のいずれかにおいて、管理者は、各ユーザー毎に、ユーザーに許可されている共用ゲートの通行権限のうち、ゲストに許可できない共用ゲートを不許可共用ゲートテーブル（仮称）に設定する。ユーザーが、ゲストに許可できる共用ゲートを設定する際に当該テーブルを参照し、該当する共用ゲートが当該テーブルに存在する場合、当該ユーザーに許可されている共用ゲートの通行及び操作等を上限とする、ゲストの通行権限データから、当該共用ゲートを削除するように構成することができる。このような共用ゲートとしては、例えば、緊急災害時のために用意した食料、飲料水等を保管する緊急食糧保存庫が挙げられる。
【００９９】
こうすることで、ユーザーが誤って、例えば、管理上、ゲストに対する許可が適切でない共用ゲートを許可しないようにすることができる。
【０１００】
［第４変形例］
第１実施形態、及び第１変形例〜第３変形例では、管理サーバ２と鍵配信サーバ３とからなる複数のサーバを通信で接続する構成としたが、これに限定されない。
例えば、管理サーバ２の備える各機能部と鍵配信サーバ３の備える各機能部とを一つのサーバで実現するように構成してもよい。
また、各サーバの備える各機能を、適宜複数のサーバに分散する、分散処理システムとしてもよい。また、クラウド上で仮想サーバ機能等を利用して、各サーバの備える各機能を実現してもよい。また、サーバを、例えば、Ｗｅｂサーバ、アプリケーションサーバ、データベースサーバ等の複数のサーバから構成されるサーバシステムとしてもよい。
すなわち、各サーバの備える各機能部の実施形態は、１台のコンピュータでも、１箇所にある又は数箇所に分散され、通信ネットワークによって相互接続された多数のコンピュータでも分散して実行するように展開できる。
【０１０１】
［第５変形例］
第１実施形態、及び第１変形例〜第４変形例では、物件をマンション等の集合住宅としたが、本願発明は、マンション等の集合住宅を物件としたものに限定するものではない。例えば、オフィス、病院等の商業施設、公共施設等の大型施設等の各種物件においては、契約者、管理者等が自身の許可されている共用ゲートの通過及び操作等を上限として、当該契約者、管理者等の指定したゲストに対して通行権限データを発行依頼することができる。
【０１０２】
本発明の出入管理システムは、ハードウェアにより実行させることもできるし、ソフトウェアにより実行させることもできる。
換言すると、図２乃至図４の機能的構成は例示に過ぎず、特に限定されない。すなわち、本発明の出入管理機能に関する一連の処理を全体として実行できる機能が出入管理システムに備えられていれば足り、この機能を実現するためにどのような機能ブロックを用いるのかは特に図２乃至図４の例に限定されない。
また、１つの機能ブロックは、ハードウェア単体で構成してもよいし、ソフトウェア単体で構成してもよいし、それらの組合せで構成してもよい。
【０１０３】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータであってもよい。
【０１０４】
このようなプログラムを含む記録媒体は、ユーザにプログラムを提供するために装置本体とは別に配布されるリムーバブルメディア３１により構成されるだけでなく、装置本体に予め組み込まれた状態でユーザに提供される記録媒体等で構成される。リムーバブルメディア３１は、例えば、磁気ディスク（フロッピディスクを含む）、ブルーレイディスク、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ）等により構成される。光磁気ディスクは、ＭＤ（Ｍｉｎｉ−Ｄｉｓｋ）、等により構成される。また、装置本体に予め組み込まれた状態でユーザに提供される記録媒体は、例えば、プログラムが記録されている図２の記憶部１１、図３の記憶部２１、図４の記憶部３１に含まれるハードディスク等で構成される。
【符号の説明】
【０１０５】
１００  出入管理システム
１  出入管理装置
１０  制御部
１０１  設定登録部
１０２  判定部
１０３  出入管理制御部
１０４  ログ作成部
１１  記憶部
１１１  ＩＤキーデータベース
１１２  ログファイル
１１３  機器情報エリア
１２  通信部
１３  リーダー
２  管理サーバ
２０  制御部
２０１  接続処理部
２０２  通行権限情報設定部
２０３  出入管理装置インタフェース部
２０４  鍵配信サーバインタフェース部
２１  記憶部
２１１  ユーザー情報エリア
３  鍵配信サーバ
３０  制御部
３０１  接続処理部
３０２  鍵情報作成部
３０３  鍵情報配信部
３０４  管理サーバインタフェース部
３０５  課金処理部
３１  記憶部
３１１  鍵情報管理エリア
３１２  デバイス情報管理エリア
４  携帯電子機器
５  通信ネットワーク
【図１】
0006654807.tif 000002
【図２】
0006654807.tif 000003
【図３】
0006654807.tif 000004
【図４】
0006654807.tif 000005
【図５】
0006654807.tif 000006